(57)【特許請求の範囲】
【請求項１】
指針を駆動するムーブメントと、前記ムーブメントを装着する文字板と、前記文字板を支持する支持体とを備え、前記支持体は前記文字板の左右縁部を保持する部位を有し、前記文字板は可撓性を有し、更に、前記文字板の左右縁部を両側から圧縮して該文字板を弓なりに弾性変形させた体勢において、文字板の前記左右縁部を前記支持体の前記保持する部位にて支持することを特徴とする時計。
【発明の詳細な説明】
【０００１】
【発明の属する技術分野】
本発明は、装飾性に優れた時計に関し、特に壁掛け時計として好適に利用されるものである。
【０００２】
【従来の技術】
室内に設置する壁掛け時計は、インテリアとしての効用も重要であり、そのデザインはますます多様化される傾向にある。
【０００３】
【発明が解決しようとする課題】
特に近年、時計のデザインについては、形状や色調の美観のみならず、構造的にも奇抜で斬新な工夫が必要とされている。本発明の目的は、かかる事情を踏まえつつ、装飾性に優れた時計を提供することである。
【０００４】
【課題を解決するための手段】
本願第１請求項に記載した発明は、指針を駆動するムーブメントと、前記ムーブメントを装着する文字板と、前記文字板を支持する支持体とを備え、前記支持体は前記文字板の左右縁部を保持する部位を有し、前記文字板は可撓性を有し、更に、前記文字板の左右縁部を両側から圧縮して該文字板を弓なりに弾性変形させた体勢において、文字板の前記左右縁部を前記支持体の前記保持する部位にて支持する構成の時計である。このような構成によると、装飾性に優れた時計が得られる。すなわち、時計の文字板は、通常はケース等に嵌め込まれた剛体であるところ、本発明においては、これを弾性変形した体勢で支持体に支持するので、当該時計の外観について、非常に面白い体裁が得られる。
【０００５】
【発明の実施の形態】
以下に、本発明の具体例を図面に基づいて詳細に説明する。
【０００６】
図１乃至図４に示す時計１は、指針２１を駆動するムーブメント２０と、ムーブメント２０を装着する文字板３０と、文字板３０を支持する支持体４０とを備えた室内用の壁掛け時計である。文字板３０は、支持体４０に対して弾性変形した体勢で支持される（図１及び図２参照）。
【０００７】
ムーブメント２０は、モータと、モータの電源たる電池と、モータの回転を減速して指針パイプ２２に伝達する減速機構とを偏平状の小型ケースに収納してなり、小型ケースから突出した指針パイプ２２に指針２１を装着する構成となっている。かかるムーブメント２０は、指針パイプ２２を文字板３０に貫通しつつ文字板３０の背面に支持され、指針２１は、文字板３０の正面に配置されている。また文字板３０には、指針パイプ２２を貫通する孔部が設けられている。
【０００８】
本例の文字板３０は、可撓性を有する合成樹脂製又は金属製のプレートである。指針２１は文字板３０の正面中央に配置され、更に文字板３０の要所には時刻を指標する指標部３１が設けられている。尚、図例した指標部３１は、文字板３０を円形に切り欠いてなる孔である。
【０００９】
一方、支持体４０は、壁や柱等の建物躯体５０に支持された金属プレートであり、左右の縁部をそれぞれ室内側に折り返してなる一対のサイドリブ４１と、各サイドリブ４１の上端部をそれぞれ水平に成形してなる水平リブ４２とを備えている。
【００１０】
各サイドリブ４１は、文字板３０の左右縁部をそれぞれ保持する部位である。また、各水平リブ４２は、文字板３０の左右縁部に設けられた溝状の係合部３２（図３参照）とそれぞれ係合する部位である。尚、これらのサイドリブ４１及び水平リブ４２は、別途の部材を溶接又はねじ止めして構成することも可能である。
【００１１】
この支持体４０は、留具である複数のピン４３をそれぞれ挿通する複数の孔部を有し、孔部から各ピン４３を建物躯体５０に刺し込むことにより、建物躯体５０に支持される。尚、支持体４０は、両面テープを用いて建物躯体５０に支持することも可能である。或いは、建物躯体５０にねじ止め又はビス止めするように構成してもよい。
【００１２】
文字板３０は、支持体４０を建物躯体５０に支持した後、左右縁部を両側から圧縮して全体を弓なりに弾性変形しつつ支持体４０に嵌め込まれる（図４参照）。文字板３０は、支持体４０のサイドリブ４１の間に弾性変形した体勢、つまり弓なりの状態で保持される。尚、ムーブメント２０の前面には、このような文字板３０の弾性変形に対応するべく、所定の形状の付属品２３を装着している。図例の付属品２３は、文字板３０との対向面が膨出状にある程度湾曲されたものである。また、支持体４０に対する文字板３０の高さ方向の位置決めは、水平リブ４２と係合部３２とを係合することによってなされる。
【００１３】
かかる構成によると、文字板３０は支持体４０に対して簡単に着脱することができ、非常に便利である。また、文字板３０を弓なりに弾性変形した体勢で支持すれば、文字板３０は微妙な曲線にて立体化することができ、時計１の外観は非常に面白いものとなる。
【００１４】
このように本例の時計１は、奇抜で斬新な構造的工夫を施すことにより、その装飾性を顕著に向上したものであり、室内の壁掛け時計として極めて好適に利用することができる。尚、文字板３０を弾性変形した体勢で支持体４０に支持する本例の構成は、壁掛け時計に限らず、各種の時計に応用可能であることは勿論である。
【００１５】
次に、本発明の第２具体例を図５及び図６に基いて説明する。
【００１６】
これらの図に示すように、本例の時計１は、壁が９０°で交わる部屋のコーナーに設置する壁掛け時計である。支持体４０としては、建物躯体５０の両部に跨るＷ字状のプレートを採用している。尚、その他の基本構成は前述した具体例と同様である。
【００１７】
このように、支持体４０の形状は、時計１の設置場所に応じて適宜に設定することができる。特に本例の時計１は、部屋のコーナーに設置するので、そのレイアウトが一層斬新なものとなるうえ、室内空間の有効利用にも貢献することができる。
【００１８】
【発明の効果】
以上説明したように、本願発明は、指針を駆動するムーブメントと、前記ムーブメントを装着する文字板と、前記文字板を支持する支持体とを備え、前記支持体は前記文字板の左右縁部を保持する部位を有し、前記文字板は可撓性を有し、更に、前記文字板の左右縁部を両側から圧縮して該文字板を弓なりに弾性変形させた体勢において、文字板の前記左右縁部を前記支持体の前記保持する部位にて支持する構成の時計であり、このような構成によると、装飾性に優れた時計を得ることができる。
【図面の簡単な説明】
【図１】  本発明の具体例に係り、時計を示す正面図である。
【図２】  本発明の具体例に係り、時計を示す上面図である。
【図３】  本発明の具体例に係り、ムーブメント及び文字板を示す正面図である。
【図４】  本発明の具体例に係り、時計の組み立てを示す上面図である。
【図５】  本発明の具体例に係り、時計を示す正面図である。
【図６】  本発明の具体例に係り、時計を示す上面図である。
【符号の説明】
１      時計
２０      ムーブメント
２１      指針
２２      指針パイプ
２３      付属品
３０      文字板
３１      指標部
３２      係合部
４０      支持体
４１      サイドリブ
４２      水平リブ
４３      ピン
５０      建物躯体
【図１】
0003655876.tif 000002
【図２】
0003655876.tif 000003
【図３】
0003655876.tif 000004
【図４】
0003655876.tif 000005
【図５】
0003655876.tif 000006
【図６】
0003655876.tif 000007